(57)【特許請求の範囲】
【請求項１】
車両であって、車両上部構造の長手方向シル領域内に配置された側方の補強部が設けられている形式のものにおいて、補強部が、それぞれ部分的に露出して配置された長手方向に延びる支持ビーム（６）から成っており、該支持ビーム（６）が、車両のホイールハウジングの間の領域にわたって延びていて、保持エレメント（７，８，９）を用いて車両の側方内側壁（４）の複数の上部構造ピラー（Ａ，Ｂ，Ｃ）に固定可能であり、また、シル内側部分（１）と、側方内側壁（４）の上部構造ピラー（Ａ，Ｂ，Ｃ）の下端部との間に、それぞれ１つの支持台（１１）が配置されており、該支持台（１１）が、異形成形材から成っていて、端部において側方から支持ビーム（６）に向かい合って位置していることを特徴とする車両。
【請求項２】
側方内側壁（４）の上部構造ピラー（Ａ，Ｂ，Ｃ）が、端部側でシル内側部分（１）と側方外側壁（３）のシル外側部分（２）とに結合されており、また、シル外側部分（２）と側方内側壁（４）との間の残りのシル空間（２）内に支持ビーム（６）が配置されている、請求項１記載の車両。
【請求項３】
各車両側方の支持ビーム（６）が、それぞれ側方内側壁（４）の上部構造ピラー（Ａ，Ｂ，Ｃ）の湾入部（１０）内に配置されていて、保持エレメント（７，８，９）を用いて位置固定されている、請求項１または２記載の車両。
【請求項４】
支持ビーム（６）が管状のエレメントから成っており、保持エレメント（７，８，９）がＵ字形のホルダ（７，８，９）から成っており、支持ビーム（６）が、前記ホルダ（７，８，９）によって部分的に取り囲むように係合して上部構造ピラー（Ａ，Ｂ，Ｃ）に固定されている、請求項１から３までのいずれか１項記載の車両。
【請求項５】
支持台（１１）が、開いた異形成形材かまたは閉じられた異形成形材から成っていて、湾入部（１０）に対応する、凹面状に丸められた凹設部（１４）を有しており、該凹設部（１４）が、丸められた湾入部（１０）に対して間隔を置いて配置されている、請求項１記載の車両。
【請求項６】
支持ビーム（６）が、ホルダ（７，８，９）を用いて湾入部（１０）に対して間隔を置いて配置されている、請求項１から５までのいずれか１項記載の車両。
【請求項７】
支持ビーム（６）が、少なくとも３つの上部構造ピラー（Ａ，Ｂ，Ｃ）に車両の各側方でホルダ（６，７，８）を用いて結合されている、請求項１から６までのいずれか１項記載の車両。
【請求項８】
中央の上部構造ピラー（Ｂ）の端部側が、ほぼ座席横方向ビーム（１２）の高さに配置されており、ホルダ（８）を用いての、長手方向に延びる支持ビーム（６）の結合部が、座席横方向ビーム（１２）の鉛直な平面（Ｘ−Ｘ）内に設けられていて、前記座席横方向ビーム（１２）にほぼ端面側で向かい合って位置している、請求項１から７までのいずれか１項記載の車両。
【請求項９】
支持ビーム（６）が、金属またはプラスチックから成っている、請求項１から８までのいずれか１項記載の車両。
【発明の詳細な説明】
【０００１】
【発明の属する技術分野】
本発明は、車両であって、車両上部構造の長手方向シル領域内に配置された側方の補強部が設けられている形式のものに関する。
【０００２】
【従来の技術】
ドイツ連邦共和国特許出願公開第１９６０３０９８号明細書に基づき、Ｂピラー内に組み込まれた補強管を備えた乗用自動車のための車両キャビンが公知である。補強管は車両直角横方向で延びていて、制限された長さの延長部を長手方向シル内に有している。
【０００３】
【発明が解決しようとする課題】
本発明の課題は、車両上部構造の長手方向シル領域内に配置された補強部を備えた車両を改良して、補強部が側面衝突に関して頑丈に形成されているようにすることである。
【０００４】
【課題を解決するための手段】
この課題を解決するために本発明の構成では、補強部が、それぞれ部分的に露出して配置された長手方向に延びる支持ビームから成っており、該支持ビームが、車両のホイールハウジングの間の領域にわたって延びていて、保持エレメントを用いて車両の側方内側壁の上部構造ピラーに固定可能であり、また、シル内側部分と、側方内側壁の上部構造ピラーの下端部との間に、それぞれ１つの支持台が配置されており、該支持台が支持ビームに向かい合って位置しているようにした。
【０００５】
さらに有利な特徴が請求項２以下に記載されている。
【０００６】
【発明の効果】
本発明により主として獲得される利点は、たとえば車両上部構造の各側方の長手方向シル内に配置されている管状の支持ビームのような、長手方向で延びる側方の補強部によって、特に側面衝突時に、十分に安全な車両キャビンが保証されているという点にある。
【０００７】
このことは、支持ビームが、長手方向シル内でほぼ車両のホイールハウジング間の全長手方向領域にわたって延びていて、保持エレメントを用いて、車両の、内側に位置する側方部分の上部構造ピラーに固定可能であり、さらに、シル内側部分と側方内側壁の上部構造ピラーの下端部との間に、それぞれ１つの支持台が配置されており、この支持台が水平な平面内で、支持ビームに直接に向かい合って位置している、つまり、側方内側壁の、支持ビームとは反対の側に位置していることによって達成される。支持ビームが、シル外側部分と側方内側壁との間の残りのシル空間内に配置されていると有利である。
【０００８】
本発明の変化形では、各車両側方の支持ビームが、それぞれ側方内側壁の上部構造ピラーの湾入部内に配置されていて、保持エレメントを用いて位置固定されている。特に、支持ビームは管状の部材から成っていてよく、Ｕ字形のホルダによって部分的に取り囲むように係合して上部構造ピラーに固定されるようになっている。
【０００９】
管状の部材が使用されない場合には、軽金属、鋼またはプラスチックから成る中実体を使用することも可能である。ただし、支持ビームは、円形の管体または多角形の管体から成っていてよい。これらの管体は、たとえば金属フォーム（Ｍｅｔａｌｌｓｃｈａｕｍ）を有していてよい。
【００１０】
側面衝突時に、支持ビームとして形成された支持エレメントが、シル内側部分内へ即座に侵入することをさらに阻止するために支持台が設けられている。この支持台は、開いた異形成形材かまたは閉じられた異形成形材から成っていてよく、膨出部に対応する、凹面状に丸められた凹設部を有している。この凹設部は、丸められた湾入部に対して間隔を置いて配置されている。同時に、支持台はエネルギ吸収のためにも働く。
【００１１】
面と面とが互いに接触することを回避するために、支持台は、側方内側壁に設けられた湾入部に対して間隔を置いて配置されており、さらに、支持台は、湾入部の裏側に対して間隔を置いて配置されている。
【００１２】
車両上部構造の、車両長手方向で延びる支持ビームに対して付加的な横方向補強部を獲得するために、プラットフォームの座席用横方向ビームが配置されている。この場合、中央のＢピラーは前記座席用横方向ビームに結合されている。また、同時に、支持ビームは、ホルダを用いて前記座席用横方向ビームに端面側で向かい合って位置している。これによって、上部構造の補強と、側面衝突側とは反対の側に位置する上部構造側への力伝達とが獲得され、側面衝突に対する車両上部構造の横方向強度が増大している。
【００１３】
【発明の実施の形態】
以下に、本発明の実施の形態を図面につき詳しく説明する。
【００１４】
図１に詳しく示したように、車両上部構造においては、上部構造１ａのシル内側部分１と、側方外側壁３のシル外側部分２との間に側方内側壁４が設けられている。この側方内側壁４はシル５の領域内に、車両長手方向に延びる支持ビーム６を有している。この支持ビーム６は、側方内側壁４のピラーＡ，Ｂ，Ｃの下端部に、保持エレメント７，８，９を用いて結合されている。
【００１５】
支持ビーム６は、少なくとも１つの管から成っている。この管はピラーＡ，Ｂ，Ｃの湾入部１０内で保持エレメント７，８，９を用いて固定されている。これらの保持エレメント７，８，９は、いわゆるＵ字形クランプ（Ｂｕｅｇｅｌｓｃｈｅｌｌｅ）から成っている。このＵ字形クランプは、管を取り囲むように係合しかつピラー端部に結合されている。
【００１６】
支持ビーム６は、たとえば円形横断面、楕円形横断面または多角形横断面のような任意の横断面を有していてよい。また、支持ビーム６は二重管から成っていてもよいし、長手方向に延びる少なくとも１つの内側のウェブを備えた管から成っていてもよい。
【００１７】
シル内側部分１には、支持ビーム６に互いに向かい合ってそれぞれ支持台１１が配置されている。この支持台１１は、開いた異形成形材かまたは閉じられた異形成形材から成っていて、湾入部１０に対応する、凹面状に丸められた凹設部１４を有している。支持台１１は、側面衝突時に支持ビーム６に当接されるようになっている。支持台１１に設けられた凹設部１４は、静止状態でピラーＡ，Ｂ，Ｃの湾入部１０に対して間隔を置いて配置されている。また、適当に間隔を置いて、支持ビーム６も保持エレメント７，８，９を用いて湾入部１０内で保持されている。
【００１８】
特に図５に詳しく示したように、ホルダ７，８，９の間では、支持ビーム６が露出して配置されている。
【００１９】
ピラーＡ，Ｂ，Ｃの下端部に設けられた湾入部１０は管の形状にほぼ適合されている。相応して、支持台１１は端面を備えて形成されている。この場合、湾入部１０は半円状の端面を有しているので、側面衝突時には、管がガイドされて支持台１１内へ侵入することができるかもしくはエネルギを吸収して支持台１１を変形させることができる。
【００２０】
図２に詳しく示したように、Ｂピラーはその下端部と共に、鉛直な平面Ｘ−Ｘ内に、車両長手方向に対して直角横方向に延びる座席用横方向ビーム１２を備えて配置されている。この座席用横方向ビーム１２は端部側でシル内側部分１と長手方向ビーム１３とに結合されている。支持台１１と、支持ビーム６のための保持エレメント８も同様に座席用横方向ビーム１２の端面側で鉛直な平面Ｘ−Ｘ内に配置されている。この配置形式によって、この領域では、側面衝突時の車両上部構造の、特に頑丈な構成が獲得される。こうして、前部に着席している人間が、特に頭部領域で保護されるようになっている。
【００２１】
さらに、支持ビーム６は、リアクラッシュ時またはフロントクラッシュ時に、長手方向での車両の圧潰を減少させるために働く。この場合、ホイールに当接された支持ビーム６によって支持が行われ、車両の、ホイール間に位置する領域の変形が阻止されるようになっている。支持ビーム６の自由端部には付加的に変形エレメントが設けられている。
【００２２】
座席用横方向ビーム１２の領域での側面衝突時には、側方外側壁３が支持ビーム６に向かって押圧され、この支持ビーム６が湾入部１０内へ侵入し、座席用横方向ビーム１２に支持されている支持台１１に向かって押圧される。衝突とは反対の側では、支持台１１が支持ビーム６に向かって押圧され、ここで支持されるようになっている。
【図面の簡単な説明】
【図１】自動車の車両上部構造の支持ビームと、側方内側壁部分と、側方外側壁部分と、シル内側部分とを備えた側壁構成ユニットの立体図である。
【図２】支持ビームを長手方向ビームおよび座席用横方向ビームと共に下方から見た図である。
【図３】支持ビームを備えた座席用横方向ビームの横断面図である。
【図４】組み込まれた支持ビームと、概略的に示したドアとを備えた側壁構成ユニットの横断面図である。
【図５】ホルダを備えた支持ビームと、上部構造ピラーとの拡大図である。
【図６】ホルダの間の、組み込まれた支持ビームを備えた側壁構成ユニットの横断面図である。
【符号の説明】
１  シル内側部分、  １ａ  上部構造、  ２  シル外側部分、  ３  側方外側壁、  ４  側方内側壁、  ５  シル、  ６  支持ビーム、  ７，８，９  保持エレメントまたはホルダ、  １０  湾入部、  １１  支持台、  １２  座席用横方向ビーム、  １３  長手方向ビーム、  １４  凹設部、  Ａ，Ｂ，Ｃ  ピラー
【図１】
0004488461.tif 000002
【図２】
0004488461.tif 000003
【図３】
0004488461.tif 000004
【図４】
0004488461.tif 000005
【図５】
0004488461.tif 000006
【図６】
0004488461.tif 000007